(57)【要約】  本発明は、ホイールおよび水を貯蔵するための水ますを有しているトレーラ；該トレーラの側面に沿って実質的に長さ方向に伸びる少なくとも２つの支持要素であって、低い展開された位置と高い格納位置との間で旋回可能である該支持要素を含むポータブルウォーターライドに関する。支持要素が展開位置にある時柔軟なライド表面が該支持要素の間で引っ張られ、該支持要素が傾斜したライド表面を形成する。その上にノズルハウジングからの水のシート流れが提供され、その上でウォータースキミング動作ができる。ライド表面のそれぞれの側に通路が提供され、ライド表面の上に入口が提供される。他の格子状のプラットホーム、レール等も提供することができる。【選択図】図１
2011502697.tif 000002
【特許請求の範囲】
【請求項１】
ホイールおよび水を貯蔵するための水ますを有しているトレーラ；
該トレーラの側面に沿って実質的に長さ方向に伸びる少なくとも２つの支持要素であって、低い展開された位置と高い格納位置との間で旋回可能である該支持要素；
前記支持要素のそれぞれに接続された柔軟なライド表面であって、該支持要素が展開位置にあり該トレーラのそれぞれの側で外側に伸びたときに、該支持要素間で実質的に引っ張られ、該トレーラと該水ますの上につられるライド表面；および
該トレーラの第一の端に提供され、該ライド表面上に水のシート流れを射出する少なくとも１つの水射出ノズルを含むポータブルウォーターライドであって、
該水の流れが該第一の端から、該第一の端と反対側のトレーラの第二の端まで実質的に伸びる長さ方向に沿って移動する、ポータブルウォーターライド。
【請求項２】
該ライド表面を該支持要素にしっかりと取り付けるために、該支持要素のそれぞれに沿ってコネクタが提供され、該支持要素が展開位置にあるときに、該コネクタが該第一の端から該第二の端へ実質的に上方に伸びる傾斜に沿って伸びる一連のポイントを形成し、該コネクタが実質的にライド表面の傾斜を形成する、請求項１記載のウォーターライド。
【請求項３】
第一のプラットホームが実質的に該第一の端に位置し、第二のプラットホームが実質的に該第二の端に位置し、該ライド表面が実質的に該第一のプラットホームと第二のプラットホームの間に伸びる、請求項１記載のウォーターライド。
【請求項４】
通路が該支持要素のそれぞれに連結して提供され、該支持要素が展開位置にあるとき、該通路は実質的に該第一のプラットホームから該第二のプラットホームへ、該ライド表面のそれぞれの側で外側に伸びる、請求項３記載のウォーターライド。
【請求項５】
一連の旋回可能なバーが該トレーラの上に提供され、該バーは展開位置および格納位置において、該支持要素を支持するために、該トレーラから支持要素へ伸びる、請求項１記載のウォーターライド。
【請求項６】
該トレーラは、該支持要素がそれらの格納位置にあるとき、該支持要素から該ライド表面を取り外すことなく標準的な運送用コンテナ中に適合するようにコンパクトである、請求項１記載のウォーターライド。
【請求項７】
該旋回可能なバーは上部セグメントと下部セグメントを有し、該バーが展開位置にある時は該上部セグメントが実質的に垂直に伸ばされ、該バーが格納位置にある時は該下部セグメントが実質的に垂直に伸ばされる、請求項５記載のウォーターライド。
【請求項８】
該トレーラが実質的に長さ方向に伸び、該ライド表面が該長さ方向と垂直な方向に支持要素の間で引っ張られる、請求項１記載のウォーターライド。
【請求項９】
該ライド表面が該支持要素の間で引っ張られることができる第一の膜を有し、第二の膜が該第一の膜の下で該支持要素の間に伸び、該第二の膜が該ライド表面から流れ落ちる水を水ます内に入れる、請求項１記載のウォーターライド。
【請求項１０】
ポータブルウォーターライドの展開および格納方法であって、
ホイールおよび水を貯蔵するための水ますを有しているトレーラを提供する工程；
該トレーラの長さ方向の側面に沿って少なくとも２つの支持要素を低い展開された位置と高い格納位置との間で旋回可能に結合する工程；
前記支持要素へ柔軟なライド表面を固定し、前記支持要素の間にしっかりと固定する工程；
該支持要素を展開位置に旋回し、該支持要素が該トレーラのそれぞれの側で外側に伸び、該ライド表面を該支持要素間で実質的に引っ張り、該ライド表面を該トレーラの第一の端から該第一の端と反対側のトレーラの第二の端まで実質的に長さ方向に伸ばす工程；および
該支持要素を格納位置に格納する工程を含み、
該支持要素を格納位置に置くことにより、該トレーラおよび該支持要素が実質的に、該支持要素から該ライド表面を取り除くことなく標準的な運送用コンテナに内に格納できるようにコンパクトである、方法。
【請求項１１】
水のシート流れを該ライド表面上に、該第一の端に位置する少なくとも１つの射出ノズルを使用して射出する工程であって、該水のシート流れは該長さ方向に流される工程をさらに含む、請求項１０記載の方法。
【請求項１２】
前記のライド表面を支持要素にしっかりと固定する工程が、該支持要素に沿ったコネクタを使用することを含み、該コネクタは該第一の端から該第二の端まで実質的に傾斜に沿って上向きに伸び、該コネクタが実質的に該ライド表面上の傾斜を形成する、請求項１０記載の方法。
【請求項１３】
該第一の端に実質的に沿って第一のプラットホームを提供し、該第二の端に実質的に沿って第二のプラットホームを提供する工程をさらに含み、該ライド表面上が実質的に該第一のプラットホームと第二のプラットホームの間に伸びる、請求項１０記載の方法。
【請求項１４】
該支持要素のそれぞれに結合された通路を提供する工程を含み、該通路は該支持要素が展開位置にある時には実質的に外側に延び、実質的に該第一のプラットホームから第二のプラットホームへ伸びる、請求項１３記載の方法。
【請求項１５】
該支持要素をそれらの展開位置および格納位置で支持するために該トレーラから該支持要素に実質的に伸びる一連の旋回可能なバーを使用することをさらに含む、請求項１０記載の方法。
【請求項１６】
該旋回可能なバーのそれぞれが上部セグメントおよび下部セグメントを有し、該バーはその展開位置において該上部セグメントは実質的に垂直に伸び、該バーはその格納位置において該下部セグメントは実質的に垂直に伸びる、請求項１５記載の方法。
【請求項１７】
該ライド表面の下に伸びる膜を提供する工程をさらに含み、該膜は実質的に該支持要素の間を伸び、該膜は該ライド表面からの水を受け止め、該水ますに入れる、請求項１０記載の方法。
【請求項１８】
該第二のプラットホーム上に格子状表面を提供する工程を更に含み、該水のシート流れが該ライド表面の上を流れ、該格子状表面を通って該水ますに入る、請求項１３記載の方法。
【請求項１９】
水を貯蔵するための水ますを有しているトレーラであって、該トレーラは第一の端と、該第一の端と反対側のトレーラの第二の端まで実質的に長さ方向に伸びる；
該トレーラのそれぞれの側で実質的に長さ方向に伸びる少なくとも２つの支持要素であって、低い展開された位置と高い格納位置との間で旋回可能である該支持要素；
前記支持要素のそれぞれに接続された柔軟なライド表面であって、該支持要素が展開位置にあり該トレーラのそれぞれの側で外側に伸びたときに、該支持要素間で実質的に保持され、該トレーラと該水ますの上につられるライド表面；および
該第一の端に提供され、該ライド表面上に水のシート流れを第二の端に向けて長さ方向に射出するための少なくとも１つの射出ノズル、
を含むポータブルウォーターライド。
【請求項２０】
該ライド表面を該支持要素にしっかりと取り付けるために、該支持要素に沿ってコネクタが提供され、該支持要素が展開位置にあるときに、該コネクタが実質的にライド表面の傾斜を形成する一連のポイントを形成するように適合される、請求項１９記載のウォーターライド。
【請求項２１】
第一のプラットホームが実質的に該第一の端に位置し、第二のプラットホームが実質的に該第二の端に位置し、該ライド表面が実質的に該第一のプラットホームと第二のプラットホームの間に伸びる、請求項１９記載のウォーターライド。
【請求項２２】
通路が該支持要素のそれぞれに連結して提供され、該支持要素が展開位置にあるとき、該通路は実質的に該第一のプラットホームから該第二のプラットホームへ、該ライド表面のそれぞれの側で伸びる、請求項２１記載のウォーターライド。
【請求項２３】
一連の旋回可能なバーが該トレーラの上に提供され、該バーは展開位置および格納位置において、該支持要素を支持するために、該トレーラから支持要素へ伸びる、請求項１９記載のウォーターライド。
【請求項２４】
該旋回可能なバーは上部セグメントと下部セグメントを有し、該バーが展開位置にある時は該上部セグメントが実質的に垂直に伸ばされ、該バーが格納位置にある時は該下部セグメントが実質的に垂直に伸ばされる、請求項２３記載のウォーターライド。
【請求項２５】
該支持要素がそれらの格納位置にある時、該トレーラが実質的に、該支持要素から該ライド表面を取り除くことなく標準的な運送用コンテナに内に格納できるようにコンパクトである、請求項１９記載のウォーターライド。
【請求項２６】
該ライド表面が該支持要素の間で引っ張られることができる第一の膜を有し、第二の膜が該第一の膜の下で該支持要素の間に伸び、該第二の膜が該ライド表面から流れ落ちる水を水ます内に入れる、請求項１９記載のウォーターライド。
【発明の詳細な説明】
【技術分野】
【０００１】
本発明はシミュレートされたサーフィン装置および方法の分野に関する。特には、ポータブルステーショナリーシートフローウォーターライド（ｐｏｒｔａｂｌｅ  ｓｔａｔｉｏｎａｒｙ  ｓｈｅｅｔ  ｆｌｏｗ  ｗａｔｅｒ  ｒｉｄｅ）の保管および輸送のための方法および装置であって、輪郭がつけられた（ｃｏｎｔｏｕｒｅｄ）か、またはその表面が傾けられたライド表面（ｉｎｃｌｉｎｅｄ  ｒｉｄｅ  ｓｕｒｆａｃｅ）を有し、装置を適切に形成することによって、ウォーターライドをコンパクトに作ることができ、標準の運送用コンテナ中に保管できる方法および装置に関する。
【０００２】
本発明の背景
シートフローウォーターライドは近年ポピュラーになった。出願者が「ＦｌｏｗＲｉｄｅｒ」（登録商標）と名付けて以前に開発した技術は、輪郭がつけられた、またはその表面が傾けられたライド表面上に圧力下の水のシート流（ｓｈｅｅｔ  ｆｌｏｗ）を射出するように適応された定在波（ｓｔａｎｄｉｎｇ  ｗａｖｅ）シートフローウォーターライド・アトラクションに関する。このように圧力下に水のシート流を射出する（すなわち臨界の速度で）ことによって、シート流はライド表面の真下に支持され、それの輪郭でブレーキされることなく順応する。これは、乗り手が水スキミングと、重力および上昇流により作り出される上昇力を使用して、ライド表面およびシート流上でのシミュレートされたサーフィンの動きを可能とする。ここで乗り手はその上で操作をしながら、本質的な平衡の中で前後に振れることができる。
【０００３】
典型的には、これらのシートフローウォーターライドはかなり小さく、波プールのような従来のウォーターライドより小さなフットプリント（ｆｏｏｔｐｒｉｎｔ）を有し、したがって従来のウォーターライドよりも、製造、構成および設置は安価である。しかしながら、これらのウォーターライドの欠点のうちの１つは、低減された生産量、したがって低減された生産能力である。例えば、多くの場合に、特にウォーターライドのより小さなバージョンが設置される場合、一人の乗り手だけが任意の時間にウォーターライドに乗ることができるかもしれない。さらに、ライドの性質により、乗り手が適切に乗るのに必要な技術を学習できるように、ウォーターライドに依存して、より長い期間、すなわち数秒ではなくより長い時間を費やすことは多くの場合望ましい。乗り手は、さらに必要な技術セットを十分に行なうために複数回それに乗る必要がある。
【０００４】
しかしながら、これらのウォーターライドの主な利点のうちの１つは、参加型のスポーツであることに加えて、それらが大きな観客動員力のあるスポーツであるということである。すなわち、それらは、観客がライドにそれら自身乗る望みを有していなくても、競技者は見ることに興味を持っている観客を引きつける能力を有している。この点で、従来の水テーマパークおよび遊園地に加えて、これらのウォーターライドはポピュラーで、レストラン、ナイトクラブ、バー、海岸、個人用別荘などに設置され、および／または競技とデモンストレーションを開催し、顧客が喜んで有料で見ることができるようにスピーカーおよび多彩な明かりと共に提供される。さらに、それらは、それらの店へ顧客を引きつける手段としてスポーツ用品店および他のビジネスに設置された。
【０００５】
製品および／またはサービスのプロモーション手段としてウォーターライドを使用することに興味を有するビジネスも、これらのウォーターライドを宣伝用および／または後援活動に関連して使用できる。例えば、第三者ビジネスは、計画された宣伝用のイベントまたはサーフィンをテーマとした活動でウォーターライドを使用することに興味を有していることがある。彼らは、ウォーターライドを彼らの製品および／またはサービスをプロモーションできる、遠隔の場所で、またはその現場で他の目的のために利用したい場合がある。
【０００６】
ライド表面はそれ自身、さらに広告、バナーおよびロゴなどの配置のために優れたプラットホームを提供する。それは、観客だけでなく写真家、および特定のターゲットとされた売買される材料およびパンフレットでありえる。この理由で、ビジネスは、標準的な水テーマパークおよび遊園地の外側の様々な宣伝用の用途でウォーターライドを使用するインセンティブを有している。たとえ処理能力が比較的小さいくても、多くのビジネスが、それらのビジネス、それらの生成物および／またはサービスを促進するおよび／または顧客を引きつける手段としてこれらのウォーターライドを使用することに興味を有している。
【０００７】
これらの理由で、ある場合には、ウォーターライドのポータブルバージョンを利用可能にしておくことが望ましいことが知られた。そのためには、テーマパークまたは遊園地の地面にそれらを永久に設置するのではなく、特別のイベントおよび／または活動が行われるかまたは計画されている遠隔の場所に移動し設置できることが望ましい。確かに、それらをポータブルにすることによって、これらのウォーターライドは、子供のパーティでのムーンバウンス（ｍｏｏｎ  ｂｏｕｎｃｅ）、または結婚でのバンドなどのように、第三者ビジネスがそれらの顧客、従業員およびイベントまたは活動への招待客を始めとするゲストに娯楽を供給できる手段でありえる。シートフローウォーターライドの概念は比較的若い人に適しているかも知れないが、それは一般大衆に対してアピールする可能性を有している。すなわち、サーフィンは、世界の至る所でのすべての年代の人々に対して重要な訴求力を有しているポピュラーなスポーツである。
【０００８】
過去に、出願人の米国特許６，４９１，５８９の中で示されるように、組み立てをばらし、保管し、移動し、ついで必要に応じて再度組み立て、離れた場所で使用できるようにするために、これらのシートフローウォーターライドとそれらの構成要素をモジュール化する試みがなされた。ライド表面自体を始めとするウォーターライドの様々な構成要素は、モジュール化され、いくつかの部品に分解され、次に組み立てられ、バラバラにされなければならなかった。これはセット・アップするための時間を不都合に増加させ、より多くの作業者が必要だった。さらに、これはより多くの労働者を雇う必要を増加させただけでなく、それは、それをセット・アップするための時間を増加させた。構成要素のモジュール化は、さらにライド表面上の漏れに潜在的に帰着できる、シームの形成を許容した。
【０００９】
出願人の米国特許６，６７６，５３０および７，３６７，８９４では、ウォーターライドが比較的軽く、かつ、高価な成型されたガラス繊維複合在および硬いライド表面なしで製造され設置されることができることを可能にした、支持フレームワークの上の張力を掛けられた強化膜材料を含むウォーターライドを開示する。しかしながら、これらのウォーターライドの具体的なデザインはポータブルではなかったし、そのように意図されてもいなかった。したがって必要なものは、各々をセットアップするために個別の部分を組み立て、バラバラにする必要がなく、容易に保管され輸送できるポータブルシートフローウォーターライドであり、漏れに潜在的に結びつくことがあるシームを作成しないようにするために統合されたライド表面構成要素を利用でき、コンパクトにされ、それはトレーラに上で組み立てられ、標準の運送用コンテナ内に保管できるように適合される。
【先行技術文献】
【特許文献】
【００１０】
【特許文献１】米国特許６，４９１，５８９
【特許文献２】米国特許６，６７６，５３０
【特許文献３】米国特許７，３６７，８９４
【発明の概要】
【発明が解決しようとする課題】
【００１１】
発明の要約
出願人のシートフローウォーターライド発明をモジュール化する前の企てと異なり、本発明は、ライド表面を有するウォーターライドを形成する方法および装置に関し、それはより容易に輸送し、保管することができ、より容易に短い時間で組み立て、バラバラにすることができ、それが格納された時トレーラ上に適合できるほどに十分にコンパクトで、標準の運送用コンテナで保管できるように適合される。特には、本発明のウォーターライドは、それが好ましくは折られてまたは折られずに、容易に変形するように作られ、それが格納された場合、一つのトレーラ上に好ましくは配置され、単一の運送用コンテナに保管される。また展開された場合、それは好ましくはテーマパークとその他同種のものに固定され永久的に設置されたものと同様の、完全に機能し運用されるシートフローウォーターライドを含む。また、前のモジュール化されたバージョン（それらは潜在的に漏れを生ずるライド表面にシームを備えた多数の構成要素を有していた）と異なり、出願人の本発明で使用される構成要素は漏れの可能性をすべて回避するために単一の要素に統合され形成される。
【課題を解決するための手段】
【００１２】
本発明のウォーターライドは、好ましくは細長い輸送用車両上、あるいは標準トレーラのように形作ったホイールを有するトレーラー上に形成され構築される。車両の主な中央のハウジングは、ウォーターライドを操作するために必要とされる水の貯蔵のために本質的に水ますを形成する。これは噴射ノズルとポンプを収容するための前方部分および、ライド入り口プラットホームがその上に設置される後方部分を含む。ハウジングの上にあり、ノズルおよび入り口プラットホームの間に伸びる構成要素は、好ましくはライド表面を形成するように適応され、これは好ましくは格納された位置と展開した位置との間に折られ、または折られない単一の強化された膜を使用して形成される。好ましくは、取り付け可能または分離可能であるライド表面のそれぞれの側に伸びる２つの展開可能な通路がある。
【００１３】
その展開した位置に、本発明のウォーターライドは柔軟な傾けられたライド表面を好ましくは含み、タイプの他のウォーターライドのようにこの上を水のシート流が推進できる。ライド表面は好ましくは長さ方向に伸び、単一の延伸された布帛または膜材料から作られる。出願人の米国特許６，６７６，５３０を参照。その発明の場合でのように、膜は好ましくは、その長さ方向の端部に沿って、支持フレームワークの上に掛けられきつく引かれる。
【００１４】
第一の実施態様では、布帛端部は、ライド表面のそれぞれの側に沿って中央のハウジングから横方向に伸びる、複数のサポート・バーまたはポストへ好ましくはしっかりと取り付けられる。展開する場合サポート・バーが好ましくは、横方向外側へ延ばされ、前から後ろへ次第により高く伸びるカンチレバーの支持ポストを形成する。好ましくは、それらは傾斜に沿って伸びる一連の接続ポイントを形成する。それは、ライド表面の傾斜のベースを形成する。布帛が回収され（あるいは折り重ねられ）、ウォーターライドが格納された場合、サポート・バーは好ましくはそれらのヒンジに沿って上に揺り動かされ、本質的にコンパクトな縦位置にされる。
【００１５】
第二の実施態様では、ライド表面のそれぞれの側に沿って中央のハウジングから横方向外側へ伸びる、複数のサポート・バーまたはポストを有するのではなく、同じ目的を本質的に遂行する２つの一体化された要素が提供される。すなわち、ヒンジを有し、外側に振れ出て布帛を支持する個々のサポート・バーを使用するのではなく、この実施態様においては、好ましくは一体化された部分が外側へ振り出され（ｓｗｕｎｇ  ｏｕｔ）、伸ばされ、それぞれの側の布帛の支持をする。ここでそれらが外側横方向に伸びることができるように、一体化された要素は展開し伸びることができるようにされ、前から後ろに次第により高く伸びる上表面を備えたカンチレバーを形成することができる。好ましくは、一体化された部分は、傾斜に沿って伸びる一連の接続ポイントを有している。それは、ライド表面をそれに接続する（すなわちライド表面の傾斜に沿って）ベースを形成する。この実施態様では、一体化された部分が振り上げられ（ｓｗｕｎｇ  ｕｐ）、格納される場合、布帛は所定の場所に残り、ウォーターライドが格納されるごとに、布帛を回収しなければならないのではなく、簡単に一片としてたたむことができる。ウォーターライドがトレーラーに格納される準備ができている場合、それぞれの側の一体化された部分は好ましくは振り上げられ、それらのヒンジに沿って本質的にコンパクトに縦位置に折り込まれる。
【００１６】
両方の実施態様では、噴射ノズルは、好ましくは正面ハウジングに位置し、延伸された布帛上に好ましくは伸ばされ、それらがライド表面上に圧力下で水を射出できるようにする。正面のコンパートメントの内部コンポーネントは、ノズルおよびポンプだけでなく、水ますから水を取り出しライド表面上にそれを射出するための入り口も好ましくは含む。正面ハウジングのそれぞれの側に、好ましくはライドの正面および周囲の参加者に追加の立ち見席を供給できる旋回可能な伸びるプラットホームが備えられる。
【００１７】
第一の実施態様では、好ましくは通路がライド表面のそれぞれの側で、サポートバーの上にマウントされることができる。それにより参加者がその上を歩くことができる、レールを有する傾いた通路を形成する。通路は、好ましくはライド表面から横方向外側へ伸びて、参加者が横を登ることを可能にするために、正面ハウジングから裏入口プラットホームまで長さ方向に伸びる。ライド表面に隣接して通路が横方向外側へ伸びるので、所望の場合、参加者がウォーターライドから容易に出ることができるように、さらに、それらは追加の退出手段と観覧のための領域を提供する。
【００１８】
第二の実施態様では、通路はさらにレールを有している。しかし、通路はそれ自体、一体化された部分の一部として好ましくは形成される。それらは、好ましくはそれぞれの側で水ますにヒンジで結合されマウントされ、一体化された部分が展開する場合、通路部分も自動的に展開するようにされる。それにより参加者がその上を歩くことができる傾いた通路を形成する。通路は、トレーラの上に垂直位で格納することができ、そして標準の運送用コンテナ内に適合できるように、好ましくは振り上げられて格納されるように十分にコンパクトである。第一の実施態様でのように、通路は参加者が歩いて行くことを可能にするために正面から後部へ好ましくは長さ方向に施される。また、通路が好ましくはライド表面に隣接して伸びるので、さらに所望の場合、それらは、ライド表面上の参加者に追加の退出手段を提供すると同様に観覧領域を提供する。
【００１９】
それが、参加者がライド表面上に入るための領域を提供するように、後方入口プラットホームはライド表面上に好ましくは伸びる。すなわち、そこから参加者は、ライド表面上に、および水の接近するシート流に対して移動できる。入り口プラットホームは、水が通り抜けることができる格子状の床を好ましくは有している。この方法では、水がライド表面の傾斜を登りその上に至ったときに、水は格子状の床を通って流れ、その下の水ますへ落ちる。そこから、水は水ますに集められ、ポンプとノズルが備えられる正面ハウジングの方へ循環できる。入り口プラットホームは、参加者に補足の立ち見席を供給できる、２つの旋回可能な延伸部を好ましくは有する。他の構成要素のように、好ましくはプラットホームは上方に旋回可能で、本質的に垂直位で格納されることができる。それぞれの側で通路にそれを接続できるように、入り口プラットホームも外側へ伸ばされる。
【００２０】
それらが、標準の運送用コンテナ中のトレーラの配置の邪魔をしないように、トレーラのホイールはくぼみの中に好ましくは収容される。ウォーターライドが展開する場合、トレーラを地面で水平に置くこと可能であるように、ホイールは好ましくは格納式である。ウォーターライドが格納される場合、トレーラが容易に引くことができるように、ホイールは好ましくは出される。第一の実施態様では、多数のサポート・バー、２つの正面の拡張プラットホーム、そして入り口プラットホーム上の２つの後方入口が、好ましくは上に振り上げられ折られ、それらが比較的コンパクトで、本質的に垂直位に伸ばされる。それらが格納される場合、トレーラが標準の運送用コンテナ内に適合できるように、これらの要素は好ましくは形成される。第二の実施態様では、２つの正面の拡張プラットホームと同様に通路を含む２つの一体化された部分、および２つの後方拡張入口プラットホームは、好ましくは振り上げられて折られ、比較的コンパクトで、本質的に垂直位に伸びるようにされる。これらの構成要素は、一体化された部分内に好ましくは組み合わせられ、それらが格納される場合、トレーラが標準の運送用コンテナ内に適合できるように、形成される。
【００２１】
本発明の例示的な特徴が示される。しかしながら、議論された特徴のすべてが本発明が適切に有効に作動し機能するのに不可欠だとは限らないことは明らかであろう。この点から、２つの同様の実施態様が多少異なる構成要素および特徴を有して示される。これらおよび他の構成要素の置き換えが、本発明の範囲を逸脱せずに企図されている。
【図面の簡単な説明】
【００２２】
【図１】図１は、その完全に展開した位置の本発明のポータブルシートフローウォーターライド・アトラクションの第一の実施態様の平面図である；
【図２】図２は、その完全に展開した位置の図１で示されるシートフローウォーターライド・アトラクションの側面図である；
【図３】図３は、その完全に展開した位置の図１の中で示されるシートフローウォーターライド・アトラクションの等角図である；
【図４】図４は、その完全に展開した位置の図１のシートフローウォーターライド・アトラクションの背面図である；
【図５】図５は、その格納された位置の本発明のポータブルシートフローウォーターライド・アトラクションの第一の実施態様の平面図である；
【図６】図６は、その格納された位置の図５の中で示されるシートフローウォーターライド・アトラクションの側面図である；
【図７】図７は、その格納された位置の図５の中で示されるシートフローウォーターライド・アトラクションの等角図である；
【図８】図８は、その格納された位置の図５のシートフローウォーターライド・アトラクションの背面図である；
【図９】図９は、その完全に展開した位置でのウォーターライドに備えられた多数のサポート・バーを示す本発明のシートフローウォーターライド・アトラクションの第一の実施態様の等角図である；
【図１０】図１０は、その格納された位置でのウォーターライドに備えられた多数のサポート・バーを示す本発明のシートフローウォーターライド・アトラクションの第一の実施態様の等角図である；
【図１１】図１１は、その完全に展開した位置での本発明のポータブルシートフローウォーターライド・アトラクションの第二の実施態様の等角図である；
【図１１ａ】図１１ａは、その完全に展開した位置の図１１の中で示されるシートフローウォーターライド・アトラクションの平面図である；
【図１２】図１２は、その完全に展開した位置の図１１の中で示されるシートフローウォーターライド・アトラクションの側面図である；
【図１３】図１３は、その完全に展開した位置の図１１の中で示されるシートフローウォーターライド・アトラクションの等角図である。格子なしで示される；
【図１４】図１４は、その完全に展開した位置の図１１のシートフローウォーターライド・アトラクションの背面図である；
【図１５】図１５は、その格納された位置の本発明のポータブルシートフローウォーターライド・アトラクションの第二の実施態様の平面図である；
【図１６】図１６は、その格納された位置の図１５の中で示されるシートフローウォーターライド・アトラクションの側面図である；
【図１７】図１７は、その格納された位置の図１５の中で示されるシートフローウォーターライド・アトラクションの等角図である；
【図１８】図１８は、その格納された位置の図１５のシートフローウォーターライド・アトラクションの背面図である；
【図１９】図１９は、その完全に展開した位置でのウォーターライドに備えられた一体化された部分のアレンジメントを示す本発明のシートフローウォーターライド・アトラクションの第二の実施態様の等角図である；
【図２０】図２０は、その格納された位置でのウォーターライドに備えられた一体化された部分のアレンジメントを示す本発明のシートフローウォーターライド・アトラクションの第二の実施態様の等角図である；
【図２１】図２１は、ウォーターライドの一体化された部分に接続される、ライド表面およびサイドクロージャー布帛のアレンジメントを示す本発明のシートフローウォーターライド・アトラクションの第二の実施態様の断面図である；
【図２２ａ】図２２ａは、ウォーターライドの一体化された部分に接続されたビニルのサイドクロージャーのアレンジメントを示す本発明のシートフローウォーターライド・アトラクションの第二の実施態様の断面図である；
【図２２ｂ】図２２ｂは、ウォーターライドの一体化された部分に接続されたビニルのサイドクロージャーのアレンジメントを示す本発明のシートフローウォーターライド・アトラクションの第二の実施態様の断面図である；
【図２３ａ】図２３ａは、図２３ｂに詳細が示されるという点を除いて、図１１と同じ図である；
【図２３ｂ】図２３ｂは、図２３ａの中で円で囲まれた本発明のシートフローウォーターライド・アトラクションの第二の実施態様のヒンジの詳細を示す；
【図２４】図２４は、半分展開した位置でのウォーターライドに備えられた一体化された部分のアレンジメントを示す本発明のシートフローウォーターライド・アトラクションの第二の実施態様の等角図である。
【００２３】
本発明の詳細な説明
第一実施態様：
図１は、展開した位置の本発明１のポータブルシートフローウォーターライド・アトラクションの実施態様の平面図を示す。好ましくは１つの端４に水噴射ノズル３を有し、傾斜６を有する引っ張られた布帛ライド表面５、反対端８の上の格子状の入り口プラットホーム７、およびそれぞれの側の分離可能な通路９が長さ方向に伸びる。追加の格子状の部分１０は、補足の立ち見席のためにノズル・ハウジング１２のそれぞれの横に好ましくは拡張される。また、追加の格子状の部分３２は、通路９に接続する入り口プラットホーム７のそれぞれの横に好ましくは拡張される。矢印１３は、ライド表面５上の水の流れの方向を示す。また線１４は、ウォーターライドが作動している間の、ライド表面５上の水のシート流の近似の端部を示す。レール１５は、通路９の横に好ましくは提供される。
【００２４】
図２で見ることができるように、ライド表面５は、一般に傾斜６を備えた角度で傾斜し、ノズル端４から端８の高い入り口プラットホーム７へ上方へ伸びる。図１および９の中で示されるように、ライド表面５は、多数のバー２０によってその端部４６に沿って長さ方向にしっかりと取り付けられる単一の一方向に引っ張られた布帛または膜１６で好ましくは作られている。布帛１６がライド表面５を形成し、多数のバー２０の間で延伸されて、保持されるので、多数のバー２０の上のコネクタ２５の位置はライド表面５の形および傾斜を決定することができる。布帛１６の引っ張りは、ライド表面５がどの程度柔軟か堅いかを決定することができる。
【００２５】
図９は、上方外側へヒンジ線２１の周囲に展開した位置で伸びる。バー２０はそれぞれ、好ましくは下部ヒンジ２２、下部セグメント２３、および下部セグメント２３に対して曲がっている上部セグメント２４を有し、さらに布帛コネクタ２５を有する。布帛コネクタは好ましくは下部セグメント２３と上部セグメント２４との間の曲がり部分に位置する。バー２０がそれらのヒンジ２２の周囲に展開する場合、図９に示されるように、下部セグメント２３は前方端４から後方端８へ次第に角度を付ける。一方、上方のセグメント２４は好ましくは展開された位置では実質的に垂直になるようにされる。
【００２６】
ライド表面５の傾斜を説明するために、ヒンジ２２に関して長さおよび角度が下部セグメント２３で異なることが、理解されることができる。例えば、バー２０が完全に展開した場合、ノズル端４に近い第一のバー２６は、水平に対して約１０度で伸びる。しかし、ノズル端４から最も遠い最後のバー２７は、水平に対して約４５〜６０度で伸びる。このように、バー２０の上の布帛コネクタ２５は、布帛コネクタ２５に取り付けられたライド表面５が同じ傾斜に沿って伸びるように、傾斜に沿って上方へ伸びる一連の固定ポイントを形成する。
【００２７】
好ましくはライド表面５の下に伸びる単一構造の水ます１７は中心にあり長さ方向に伸びる。これは好ましくは前方端４から後方端８へ、ノズル・ハウジング１２から高い入り口プラットホーム７へ伸びる。そのように、水が矢印１３の方向にたとえばノズル３によってライド表面５上に推進されるので、水は傾斜６を上へ登り、高い入り口プラットホーム７の格子１８を通って通り、そして水ます１７へ落ちる。水が水ます１７に集まると水が貯蔵され、ついでノズル３が存在するノズル・ハウジング１２の内部のポンプ（図示されない）で移送することができる。
【００２８】
水ます１７の外側の周縁は図１に示され、入り口プラットホーム７上の格子１８の下に、および拡張部分１０上の格子３１の下に伸びる。水ますはそれ自身、単一の構造で作られ、水が漏れるのを好ましくは防ぐ。しかしながら、それがさらに漏れを回避できるように、防水性の膜が水ます１７の上に提供できる。膜は、より多くの水が貯蔵されることを可能にするために、バー２０の下部セグメント２３に沿ってさらに拡張できる。
【００２９】
水ます１７は、その上にウォーターライド１が配置されるトレーラ状車両３０の一部として好ましくは形成され、好ましくは標準の運送用コンテナ内に適合するように形成され、そのような寸法にされる。トレーラ３０は、好ましくは格納式のホイール１９を有している。ホイール１９が格納される場合、トレーラ３０は地面上におかれることができる。
ホイール１９が拡出される場合、トレーラ３０はトレーラヒッチで容易に回転され引くことができる。ホイール１９は、トレーラ３０のくぼんだ部分３４内に好ましくは収容される。
【００３０】
レール１５を備えた分離可能な２つの通路９が、バー２０に接続され、図４に示されるようにトレーラ１９から外へカンチレバー状にされるように好ましくは適応される。展開した時、通路９は好ましくは図２の中で示されるように傾斜に沿って伸びる。それは、参加者が入り口プラットホーム７へ通路を登ることを可能にする。通路９は好ましくはそれぞれの側でライド表面５の長さ方向に隣接して拡張される。それらは観覧席および出口プラットホームとして機能し、参加者がライド表面５から容易に退出できる。
【００３１】
図５−８および１０はその格納された位置でのウォーターライド１を示す。適切な格納については、通路９は好ましくは回収され取り外されて保管される。拡張正面プラットホーム部分１０は、好ましくはヒンジ３６に沿ってノズル・ハウジング１２の上に振り上げられ本質的に垂直位にされる。入り口プラットホーム７の後部拡張部３２は、好ましくは本質的に垂直の位置へヒンジ３８に沿って振り上げられる。バー２０は、ヒンジ線２１に沿ってヒンジ２２の上で好ましくは振り上げられ、本質的に垂直位にされる。下部セグメント２３が垂直にされる。ホイール１９は、くぼみ部分３４から好ましくは出される。布帛１６はバー２０から取り除き折り重ねることができる。またいくつかの場合には、布帛１６はつけておくことができ、折り重ね、格納することができる。これらの調節を行うことによって、図７、８および１０に見ることができるように、ウォーターライド１の全体はコンパクトで、好ましくは標準の運送用コンテナ中の保管に好適である。
【００３２】
その後、ウォーターライド１を展開させてセット・アップするために、工程を逆にたどることができる。例えば、ホイール１９は、好ましくはくぼみ部分３４へ格納できる。
バー２０は好ましくは、本質的に拡張された横位置へヒンジ線２１に沿ってヒンジ２２上に下へ振られ（ｓｗｕｎｇ  ｄｏｗｎ）、下部セグメント２３は様々な角度で伸び、上部セグメント２４は垂直に伸びる。その後、布帛１６は、バー２０上のコネクタ２５に付け、広げられ、強く引っ張られてライド表面５を形成することができる。その後、拡張された正面プラットホーム部分１０は、好ましくはヒンジ３６に沿って下へ振られ、本質的に水平な位置にされ、入り口プラットホーム７の後方拡張部３２は、好ましくはヒンジ３８に沿って下に振られ、本質的に水平な位置にされる。その後、通路９は再び取り付けられてセット・アップできる。これらの工程のどれも、記載された順に必ず行われる必要はない。
【００３３】
本発明の構造要素のほとんどでは、限定ではないが、水ます１７、バー２０、ハウジング１２、入り口プラットホーム１８、通路９、レール１５、格子状の部分１０および拡張部３２を有し、これらはステンレス鋼または他の丈夫で強い耐食材料で作ることができる。布帛１６は、好適な丈夫な布帛または膜材料、たとえば少なくとも１面がゴム、ポリウレタン、ラテックス、テフロン（登録商標）、フッ素化ポリマー、および／またはＰＶＤＦのようなフッ素化ポリマー材料でコーティングされた、強化されたポリエステル膜を使用して作られる。布帛は炭素繊維、ケブラー．ＲＴＭ、レーヨン、ナイロン、ポリエステル、ＰＶＣおよび／またはＰＶＤＦのようなファイバーまたはヤーンで作られることができる。ライド表面５を取り囲むウォーターライドの他の領域は、好ましくは表面が水不透過とされるたかまたは表面がコーティングされたフォームから成る防水パッドで覆われる。
【００３４】
２．第二の実施態様：
図１１は、その展開した位置での、本発明のポータブルシートフローウォーターライド・アトラクション１００の第二の実施態様の上からの等角図を示す。好ましくは格子でカバーされたハウジング１１２の一方の端１０４に水噴射ノズル１０３を有し、傾斜１０６を有しているライド表面１０５を形成する延伸されたか引っ張られている布帛１１６、反対端１０８の高い格子状の入り口プラットホーム１０７、それぞれの側で長さ方向に伸び、好ましくは格子状である傾いた通路１０９を備える。参加者に追加の立ち見席を提供するために、追加の格子状の拡張部分１１０が、ノズル・ハウジング１１２のそれぞれの側に好ましくは拡張される。また、追加の格子状の拡張部分１３２は、好ましくは入り口プラットホーム１０７のそれぞれの側に好ましくは拡張される。好ましくは、参加者が歩き続けられる連続的な領域を形成するために、これらの部分１１０および１３２は通路１０９に接続される。レール（図には示されない）は、参加者が落ちるのを妨げることが必要な、通路１０９および他の領域の外部の周辺のまわりに提供されるポスト１８４に好ましくは接続される。分離可能な後部壁１０２またはレールは、好ましくは反対端１０８に沿って提供される。傾斜路１９０を備えた階段１１５は、端１０４に沿ってハウジング１１２の前に好ましくは提供される。矢印１１３は、ライド表面１０５上の水のフローの方向を示す。
【００３５】
図１２および１４に示されるように、中心、およびライド表面１０５の下で長さ方向に水ますが伸び、それは好ましくは継ぎ目またはシームを有してなく、正面の端１０４から後端１０８まで、すなわちノズル・ハウジング１１２から高い入り口プラットホーム１０７までに及ぶ。水ます１１７は、好ましくは水ます１７に似ていて、ライド表面５上に射出された水を集めて貯蔵するための手段を提供し、これは後端１０８に循環される。すなわち、水が矢印１１３の方向にノズル１０３によってライド表面１０５上に推進されるとともに、水は傾斜１０６を上へ登り、高い入り口プラットホーム１０７の格子１１８を通り、その後水ます１１７へ入り、水が集められ、貯蔵される。また、水が水ます１１７に集まるとともに、ノズル・ハウジング１１２の内部のポンプ（示されない）が水をくみ出すことができる。その際、図１６に示すように、ノズル１０３は所望の速度および流量でライド表面１０５上への水のシート流を形成し、その上でライディング、サーフィン、スキミングができるようにすることができる。水ます１１７のアウトラインは、図１１ａの平面図において１点鎖線としてみることができ、ライド表面１０５および入り口プラットホーム１０７の下を伸びる。
【００３６】
水が漏れることを可能にすることができる継ぎ目またはシームがないように、水ます１１７は好ましくは単一の構造として形成される。水ます１１７は、図１２に示すように、トレーラ状の車両１３０の一部として好ましくは形成され、その上にウォーターライド１００が位置する。好ましくは、標準の運送用コンテナ内に適合されるような寸法にされる。トレーラ１３０は、図１２の中で示されるように好ましくは格納式のホイール１１９を有している。ホイール１１９が格納される場合、トレーラ１３０は地面に接地することができる。また、ホイール１１９が出される場合、トレーラ１３０はトレーラヒッチで容易に回転され、引くことができる。ホイール１１９は、トレーラ１３０のくぼみ部分１３４内に好ましくは収容される。
【００３７】
図１２、１５、１６、１７、１８、１９および２０は、水ます１１７の横に沿って長さ方向に伸びる、旋回する一体化された支持部分１５２を示す。これらの部分１５２は、好ましくは前方端１０４から、後方端１０８へ伸びる。図１７はそれらの格納された位置での部分１５２を示し、図１９はそれらの展開した位置でのそれらを示す。一体化された部分１５２は好ましくは旋回され、外側に拡張されて横方向に伸びるフレームワークを形成するように適合され、滑車１１４を備え、その上に布帛１１６が延伸され、ライド表面１０５を形成し、その上に図１１に示されるように格子を提供することができる。セクション１５２は、好ましくは図１７、２０および２４に見られるように、格子を支持するための横方向および垂直方向に拡張されたフレームメンバー１８２を好ましくは含む。セクション１５２は、好ましくは下部支持要素１５４を備え、これはヒンジ１２２からヒンジライン１２１に沿って伸び、外側に振り上げられることができ、各一体化された部分１５２の支持を提供する。図２３ｂに示されるように、支持要素１５４はそれぞれヒンジ１２２を備え、各支持要素１５４、したがって各一体化された部分１５２が、図２０に示された格納された位置から下に振られ、図１９および２３ａに示された展開した位置にされる。またその逆もできる。
【００３８】
一体化された部分１５２は、好ましくは拡張部分１１０および１３２と同様に通路１０９用の格子部分を支持するためにフレームワークを含む。従って、一度部分１５２が展開すると、通路１０９用のフレームワーク、および拡張部分１１０および１３２は、自動的に同様に展開する。格子部分が加えられ、セットアップが完了する。図２０は、ヒンジ１２２の周りに格納された位置にある、上方に伸びた通路１０９を備えた一体化された部分１５２を示す。図１３および図１９は、それらの完全に展開した横方向に拡張された位置での通路１０９を備えた一体化された部分１５２を示す。展開された時、通路１０９は参加者が階段１１５から入り口プラットホーム１０７へ容易に歩くことを可能にする。またそれらがライド表面１０５のそれぞれの側に拡張されるので、それぞれの長さ方向に沿って、それらはさらに観覧領域および出口プラットホームとして機能でき、参加者は容易にライド表面１０５から退出できる。先の実施態様でのように、通路１０９はカンチレバー様に出るレールと格子が好ましくは提供される。この実施態様では、しかしながら、通路１０９は好ましくは分離可能ではなく、部分１５２と一体化される。したがって、展開させることがより容易となる。
【００３９】
この実施態様では、それらの拡張位置で一体化された部分１５２を支持するために、ほぼ同じ長さの支持要素１５４がそれぞれ拡張される。図２１および２３ａに示されるように、一体化された部分１５２が完全に拡張され展開する場合、支持要素１５４は好ましくは角度を有して飛び出し、水ます１１７に対してそれらの展開した位置で一体化された部分１５２を支持する。これは、部分１５２上に伸びる通路１０９を支持するのを支援する。
拡張部分１１０および１３２は、さらに前もって決められた位置で部分１５２を保持するのを支援する。しかしながら、一体化された部分１５２はそれぞれ、通路１０９と傾斜または傾きを形成し、同様にライド表面１０５とも傾斜または傾きを形成し、角度をつけるかまたは傾斜する配置を好ましくは有する。
【００４０】
ライド表面１０５は、ノズル端１０４から端部１０８上の高い入り口プラットホーム１０７へ、上向きに伸びる傾斜１０６を好ましくは有している。図２１に示されるように、ライド表面１０５は、好ましくは単一の延伸されたかまたは引っ張られた布帛または膜１１６で作られ、その端部１４６に沿って長さ方向に、ライド表面引っ張り滑車１１４と、それを所定の場所に保持するケーブル１６２でしっかりと取り付けられる。布帛１１６は、このように引っ張り滑車１１４間で好ましくは延伸されてつられる。滑車１１４によって提供される引っ張り力の大きさは、さらにライド表面５がどの程度柔軟かまたは堅いかを決めることができる。図１１、１１ａおよび２１に示されるように、好ましくはパッドを有するサイドクロージャー１２０は、さらなる保護のために、ライド表面１０５に沿って端部１４６の上に長さ方向に提供される。
【００４１】
ライド表面１０５の布帛１１６は、好ましくはケーブル１６２に接続され、それらは次に引っ張り滑車１１４に接続され、それは次にコネクタ１８０に接続され、それは次に一体化された部分１５２に接続され、該ライド表面１０５はそれらの間でしっかりと傾斜し延伸されることができる。部分１５２に、図２４に示すように傾斜または傾きに沿って伸びる複数のコネクタ１８０を使用して、布帛１１６を接続することによって、ライド表面１０５も同様の傾斜または傾きで提供できる。布帛１１６がどの程度延伸されきつく引っ張られるかは、ライド表面１０５上で適用されると予想される負荷に依存し、どれだけの柔軟性および張力が必要かによる。好ましい実施態様では、布帛１１６は好ましくは引っ張り滑車１１４を調節することによって調整可能になる。また、ある場合には、それがトレーラ１３０と別々に回収し保管できるように、布帛１１６を分離可能とすることが望ましいことがある。そのようにすれば、材料は途中で傷つけられない。しかし、好ましい実施態様では、布帛１１６は滑車１１４上に好ましくは保持され、部分１５２が格納される場合、単一の片としてきちんとたたまれることができる。それはセットアップと撤収をより容易にする。
【００４２】
図２１に示されるように、各一体化される部分１５２の内側においては、好ましくは防水ビニール布帛または膜１５０が存在し、水ます１１７へライド表面１０５からの水のフローを促進するために、部分１５２のポイント１６５および水ます１１７の間に広げられる。すなわち、ライド表面１０５から流れ落ちる水は、膜１５０の上に落ち、水ます１１７内へ下へ流れることができるだろう。この点で、ギャップ１５６がパッドを有するサイドクロージャー１２０とライド表面１０５の間、およびライド表面１０５と引っ張り滑車１１４との間に好ましく提供され、これはライド表面１０５の横から水ます１１７へ水が流れることを可能にする。
【００４３】
ウォーターライド１００が格納される時、膜１５０は好ましくは付けられたままであり、膜１５０は折り重ねられた位置へ小さくされる。部分１５２が展開する場合、膜１５０は好ましくは、部分１５２のポイント１６５と、水ます１１７上の主トレーラ・フレーム１６０との間できつく引かれる。膜１５０は、好ましくは漏れを回避するために一体構造であり、たとえばＣ−チャンネル、ボルト、クランプおよびロッドのような公知手段による接続を使用して取り付けられ、膜がクランプ開口部を通して引っ張られることを防止する。
【００４４】
図１５から１８および２０はその格納された位置でのウォーターライド１００を示す。一体化される部分１５２が格納される場合、格子状の部分のうちのいくつか、たとえば前方端１０４の上の拡張部分１１０および後方端１０８の上の拡張部分１３２は、好ましくは振り上げられるか、または他の方法で移動した後、部分１５２が振り上げられる。これらの調節を行うことによって、図１７、１８および２０で見ることができるように、ウォーターライド１００の全体が、好ましくはコンパクトで標準の運送用コンテナで保管するに好適になる。ホイール１１９はトレーラ１３０が、たとえばヒッチで回転され引かれることを可能にするために好ましくは出されるが、運送用コンテナに入るのに必要な場合、上げることができる。
【００４５】
ウォーターライド１００を展開させてセット・アップするために、一体化された部分１５２を単に広げて下方向へ円を描いておろすことができる。そのような場合、通路１０９が部分１５２と一体化されるので、通路は自動的に同様に展開できる。図２４の中で、セクション１５２は好ましくはそれらの格納された位置からそれらの展開した位置に下げられ、本質的に横方向に拡張される。図２４は、要素１５４が旋回され、展開中に下に下がった時の、中途まで低下されている部分１５２を示す。そのような場合には部分１５２が展開し、図１９に示されるように、横に拡張されるまで、要素１５４は、それらのヒンジ１２２の周囲を下方向に旋回することができる。公知の手段により、セクション１５２をそれらの前もって決定した位置に維持できる。
【００４６】
膜１５０と同様にライド表面１０５（引っ張られた布帛１１６を含む）を部分１５２の上に維持することによって、部分１５２が展開する時、それらは自動的に展開される。一方、部分１５２を展開させた後、ハウジング１１２の上に格子を設置し、拡張部分１１０、通路１０９、拡張部分１３２および入り口プラットホーム１０７を設置し、ウォーターライド１００が図１１（図１３ではなく）のように見えるようにすることが必要である。レールは、一体化された部分１５２上に位置するポスト１８４に設置できる。またレールまたは壁１０２も設置できる。側壁１８６は、ライド表面１０５上の位置で、垂直のフレームワーク要素１８２に対してしっかりと取り付けることができる。好ましくは側壁１８６はパッドを備え、側壁はライド表面１０５の側面に沿って障壁を提供するのを支援する。
【００４７】
ウォーターライド１００を降ろす場合、同じ工程を本質的に取ることができるが、順番は逆になる。すなわち、側壁１８６、レール、通路１０９からの格子、拡張部分１１０および１３２、ハウジング１１２および入り口プラットホーム１０７が最初に回収されなければならない。その後、図２４に示されるようなそれらの展開した位置から、セクション１５２が好ましくは本質的に垂直であるそれらの格納された位置へ上げられる。図２４は、要素１５４が旋回されており、部分１５２が格納（または展開）の間に上げられ（または下げられ）ている途中を示す。そのような場合部分１５２が格納され、本質的に垂直となり、図２０の中で示されるようなコンパクトな配置を形成するまで、要素１５４は、それらのヒンジ１２２に関して旋回して上げられることができる。
【００４８】
限定するものではないが、水ます１１７、一体化部分１５２、要素１５４および１８２、ハウジング１１２、入り口プラットホーム１０７、通路１０９、レール１１５、格子状の部分１１８および拡張部分１１０および１３２のような本発明の構成要素のほとんどは、ステンレス鋼または他の丈夫で強い耐食材料を使用して作ることができる。布帛１１６は、好適な丈夫な布帛または膜材料、たとえば少なくとも１面がゴム、ポリウレタン、ラテックス、テフロン（登録商標）、フッ素化ポリマー、および／またはＰＶＤＦのようなフッ素化ポリマー材料でコーティングされた、強化されたポリエステル膜を使用して作られる。 布帛は炭素繊維、ケブラー．ＲＴＭ、レーヨン、ナイロン、ポリエステル、ＰＶＣおよび／またはＰＶＤＦのようなファイバーまたはヤーンで作られることができる。 ライド表面１０５を取り囲むウォーターライドの他の領域は、好ましくは表面が水不透過とされるたかまたは表面がコーティングされたフォームから成る防水パッドで覆われる。
【図１】
2011502697.tif 000003
【図２】
2011502697.tif 000004
【図３】
2011502697.tif 000005
【図４】
2011502697.tif 000006
【図５】
2011502697.tif 000007
【図６】
2011502697.tif 000008
【図７】
2011502697.tif 000009
【図８】
2011502697.tif 000010
【図９】
2011502697.tif 000011
【図１０】
2011502697.tif 000012
【図１１】
2011502697.tif 000013
【図１１ａ】
2011502697.tif 000014
【図１２】
2011502697.tif 000015
【図１３】
2011502697.tif 000016
【図１４】
2011502697.tif 000017
【図１５】
2011502697.tif 000018
【図１６】
2011502697.tif 000019
【図１７】
2011502697.tif 000020
【図１８】
2011502697.tif 000021
【図１９】
2011502697.tif 000022
【図２０】
2011502697.tif 000023
【図２１】
2011502697.tif 000024
【図２２ａ】
2011502697.tif 000025
【図２２ｂ】
2011502697.tif 000026
【図２３ａ】
2011502697.tif 000027
【図２３ｂ】
2011502697.tif 000028
【図２４】
2011502697.tif 000029
【国際調査報告】
2011502697.tif 000030